(57)【要約】【課題】操作者が、コンピューターに接続された携帯端末装置を入力操作して、文字等をコンピューターに入力する際の操作を容易にする。【解決手段】文字入力システム１は、携帯端末装置２及びＰＣ３を備える。携帯端末装置２は、操作者から文字入力を受け付ける文字入力受付部２０２と文字入力受付部２０２に入力が受け付けられた文字を示す文字情報をＰＣ３に送信する文字情報送信部２０３とを備える。ＰＣ３は、携帯端末装置２の文字情報送信部２０３から送信されてきた文字情報を受信する文字情報受信部３０２と、文字情報受信部３０２によって受信された文字情報の示す文字を入力文字候補として受け付ける入力文字候補受付部３０３とを備える。【選択図】図１
2015103108.tif 000002
【特許請求の範囲】
【請求項１】
コンピューターと携帯端末装置とを備える文字入力システムであって、
前記携帯端末装置は、
操作者から文字入力を受け付ける文字入力受付部と、
前記文字入力受付部に入力が受け付けられた文字を示す文字情報を前記コンピューターに送信する文字情報送信部とを備え、
前記コンピューターは、
前記携帯端末装置の前記文字情報送信部から送信されてきた文字情報を受信する文字情報受信部と、
前記文字情報受信部によって受信された文字情報の示す文字を入力文字候補として受け付ける入力文字候補受付部とを備える文字入力システム。
【請求項２】
前記携帯端末装置は、
画像表示が可能な表示部と、
前記表示部に、操作者から文字入力を受け付けるための文字受付用画像を表示させる表示制御部とを備え、
前記文字入力受付部は、前記表示部における前記文字受付用画像の表示領域に操作者が接触したときに、当該文字画像受付用画像に対応付けられた文字の入力を受け付ける請求項１に記載の文字入力システム。
【請求項３】
前記携帯端末装置は、
被写体を撮像する撮像部と、
前記撮像部により撮像された画像を用いて前記文字受付用画像を作成する画像作成部とを更に備え、
前記表示制御部は、前記画像作成部により作成された前記文字受付用画像を前記表示部に表示させる請求項２に記載の文字入力システム。
【請求項４】
前記携帯端末装置は、
前記コンピューターに通信接続するインターフェイス部と、
前記インターフェイス部による前記コンピューターとの通信が確立したときに、前記コンピューターにおいて前記文字情報受信部及び前記入力文字候補受付部を起動させる通信制御部と、
を更に備える請求項１乃至請求項３のいずれかに記載の文字入力システム。
【請求項５】
前記インターフェイス部は、前記コンピューターに繋がるケーブルを介して前記コンピューターと通信し、
前記通信制御部は、前記インターフェイス部に前記ケーブルが接続されて前記コンピューターとの通信が確立したときに、前記コンピューターにおいて前記文字情報受信部及び前記入力文字候補受付部を起動させる請求項４に記載の文字入力システム。
【請求項６】
前記インターフェイス部は、無線通信により前記コンピューターと通信し、
前記通信制御部は、前記インターフェイス部と前記コンピューターとの無線通信が確立したときに、前記コンピューターにおいて前記文字情報受信部及び前記入力文字候補受付部を起動させる請求項４に記載の文字入力システム。
【請求項７】
コンピューターと通信可能な携帯端末装置であって、
前記コンピューターと通信接続するインターフェイス部と、
操作者から文字入力を受け付ける文字入力受付部と、
前記文字入力受付部に入力が受け付けられた文字を示す文字情報を前記コンピューターに送信する文字情報送信部と、を備える携帯端末装置。
【請求項８】
携帯端末装置と通信可能なコンピューターであって、
前記携帯端末装置の前記文字情報送信部から送信されてきた文字情報を受信する文字情報受信部と、
前記文字情報受信部によって受信された文字情報の示す文字を入力文字候補として受け付ける入力文字候補受付部と、を備えるコンピューター。
【発明の詳細な説明】
【技術分野】
【０００１】
本発明は、文字入力システム、携帯端末装置、及びコンピューターに関し、特に、コンピューターに文字を入力する技術に関する。
【背景技術】
【０００２】
持ち運びを便利にするために、キーボード等の構成を最小として小型軽量化を図ったコンピューターが多く提案されている。そして、今日では、コンピューターに情報を入力する操作を容易にするため、様々なユーザーインターフェイスが提案されている。例えば、下記特許文献１に示されるように、パーソナルコンピューターに携帯端末を接続して、互いにデータ送受信を可能にする装置が提案されている。また、特許文献２には、パーソナルコンピューターのディスプレイに表示されるユーザーインターフェイスを更に改良することにより、操作者の操作性を向上させる装置が示されている。
【先行技術文献】
【特許文献】
【０００３】
【特許文献１】特開２０１２−１９０４３６号公報
【特許文献２】特開２０１２−２２６７５４号公報
【発明の概要】
【発明が解決しようとする課題】
【０００４】
しかしながら、上記特許文献１に示される装置はコンピューター及び携帯端末との間でのデータ通信に関するものに過ぎず、操作者が手動で文字等のキャラクター情報をコンピューターに入力する際の操作を容易にするものではない。また、上記特許文献２に示される装置は、操作者がディスプレイ表示に基づいた操作を行う際の操作性を向上させるが、操作者が携帯端末装置を用いて、コンピューターへの情報入力の操作性を向上させるものではない。今日では、操作者は、常に携帯端末装置を身に付けていることが多いため、携帯端末装置の機能を用いることにより、コンピューターが具備していない設備や機能を追加することが期待される。
【０００５】
本発明は、上記の問題を解決するためになされたもので、操作者がコンピューターに接続された携帯端末装置を入力操作して文字等のキャラクター情報を当該コンピューターに入力する際における操作を容易にすることを目的とする。
【課題を解決するための手段】
【０００６】
本発明の一局面に係る文字入力システムは、コンピューターと携帯端末装置とを備える文字入力システムであって、
前記携帯端末装置は、
操作者から文字入力を受け付ける文字入力受付部と、
前記文字入力受付部に入力が受け付けられた文字を示す文字情報を前記コンピューターに送信する文字情報送信部とを備え、
前記コンピューターは、
前記携帯端末装置の前記文字情報送信部から送信されてきた文字情報を受信する文字情報受信部と、
前記文字情報受信部によって受信された文字情報の示す文字を入力文字候補として受け付ける入力文字候補受付部とを備えるものである。
【０００７】
また、本発明の他の一局面に係る発明は、コンピューターと通信可能な携帯端末装置であって、
前記コンピューターと通信接続するインターフェイス部と、
操作者から文字入力を受け付ける文字入力受付部と、
前記文字入力受付部に入力が受け付けられた文字を示す文字情報を前記コンピューターに送信する文字情報送信部と、を備える。
【０００８】
また、本発明の他の一局面に係る発明は、携帯端末装置と通信可能なコンピューターであって、
前記携帯端末装置の前記文字情報送信部から送信されてきた文字情報を受信する文字情報受信部と、
前記文字情報受信部によって受信された文字情報の示す文字を入力文字候補として受け付ける入力文字候補受付部と、を備える。
【発明の効果】
【０００９】
本発明によれば、操作者がコンピューターに文字等のキャラクター情報を入力する操作を行う際に、コンピューターの構成を増加させることなく、当該入力の操作を容易にすることができる。
【図面の簡単な説明】
【００１０】
【図１】文字入力システムの全体を示す図である。
【図２】携帯端末装置の内部構成の概略を示すブロック図である。
【図３】ＰＣの構成概略を示すブロック図である。
【図４】文字入力システムによる文字入力処理の第１実施形態における処理の流れを示すフローチャートである。
【図５】携帯端末装置の表示部にテンキー画像が表示された状態の例を示す図である。
【図６】第２実施形態に係る文字入力処理を行う携帯端末装置の内部構成の概略を示すブロック図である。
【図７】撮像部により撮像されて表示部に表示される画像の例を示す図である。
【図８】文字入力システムによる文字入力処理の第２実施形態における処理の流れを示すフローチャートである。
【発明を実施するための形態】
【００１１】
以下、本発明の一実施形態に係る文字入力システム、携帯端末装置、及びコンピューターについて図面を参照して説明する。
【００１２】
図１は、文字入力システム１の全体を示す図である。図１に示すように、文字入力システム１は、携帯端末装置２と、パーソナルコンピューター（以下、ＰＣ）３とを備えている。文字入力システム１では、携帯端末装置２がＰＣ３に接続され、携帯端末装置２はＰＣ３に対して文字や記号等を入力する装置として機能する。ＰＣ３への携帯端末装置２の接続は、ＵＳＢケーブル等による有線接続、及びBluetooth（登録商標）等による無線接続のいずれであっても構わない。
【００１３】
図２は、携帯端末装置２の内部構成の概略を示すブロック図である。携帯端末装置２は、制御ユニット２００と、操作部２１と、メモリー２２と、表示部２３と、通信インターフェイス２４と、撮像部２７とを備える。これら各部は、互いにＣＰＵバスによりデータ又は信号の送受信が可能とされている。
【００１４】
制御ユニット２００は、ＲＯＭ及びＲＡＭを備えるＣＰＵ等からなり、携帯端末装置２の全体的な動作制御を司る。
【００１５】
操作部２１は、ハード構成としてのテンキー、又は、表示部２３に設けられたタッチパネル等から構成される。操作部２１には、例えば、文字、記号、数字（以下、「文字」と記述している場合は、これら文字、記号、数字等の各種キャラクターの全て又は一部を示すものとする。）等のキャラクターが、上記キーボードやタッチパネル機能を介して入力される。
【００１６】
メモリー２２は、表示部２３に表示させる画像データや、各種アプリケーションを記憶している。メモリー２２には、本発明の一実施形態に係る文字情報送信プログラムが記憶されている。
【００１７】
制御ユニット２００は、当該文字情報送信プログラムに従って動作することで、後述する制御部２０１、文字入力受付部２０２、文字情報送信部２０３、表示制御部２０４、及び通信制御部２０５として機能する。但し、制御ユニット２００の制御部２０１、文字入力受付部２０２、文字情報送信部２０３、表示制御部２０４、及び通信制御部２０５は、文字情報送信プログラムに基づく動作によらず、それぞれハード回路により構成されてもよい。以下、特に触れない限り、各実施形態について同様である。
【００１８】
表示部２３は、ＬＣＤ（Liquid Crystal Display）等からなり、当該携帯端末装置２の操作に必要な画像やメッセージを表示する他に、文字等のキャラクターの入力に必要な文字受付用画像を表示する。当該文字受付用画像は、例えば、テンキーを示す各キー群の画像等であり、メモリー２２に記憶されている。
【００１９】
通信インターフェイス２４は、ＰＣ３との間でデータ通信を行うためのインターフェイスとして機能する。通信インターフェイス２４は、ＵＳＢによる有線接続の通信方式に対応した機能、又は、ＰＣ３との接続が無線の場合にはBluetooth（登録商標）等による通信方式に対応した機能を有する。
【００２０】
制御ユニット２００は、上述したように、制御部２０１、文字入力受付部２０２、文字情報送信部２０３、表示制御部２０４、及び通信制御部２０５を備える。
【００２１】
制御部２０１は、携帯端末装置２全体の動作制御を司る。制御部２０１は、操作部２１、メモリー２２、表示部２３、通信インターフェイス２４、及び撮像部２７の動作を制御する。
【００２２】
文字入力受付部２０２は、操作部２１としての上記テンキー又はタッチパネルを介して操作者により行われた文字等の入力を受け付ける。
【００２３】
文字情報送信部２０３は、文字入力受付部２０２に入力が受け付けられた文字等を示す文字情報を、通信インターフェイス２４を介してＰＣ３に送信する。
【００２４】
表示制御部２０４は、表示部２３による表示動作の制御を司る。表示制御部２０４は、例えば、操作者から文字入力を受け付けるための文字受付用画像を表示部２３に表示させる。この文字受付用画像は、例えば、文字情報送信プログラムの一部として、メモリー２２に記憶されている。
【００２５】
通信制御部２０５は、通信インターフェイス（インターフェイス部）２４を介したＰＣ３との通信に必要な制御を行う。
【００２６】
なお、制御部２０１が、表示制御部２０４及び通信制御部２０５を兼ねる構成でもよい。この場合は、独立した表示制御部２０４及び通信制御部２０５は不要である。
【００２７】
上述した文字情報送信プログラムは、ＰＣ３にインストールされている後述の文字入力受付プログラムと連携して動作する。これにより、ＰＣ３において、携帯端末装置２の文字情報送信部２０３からＰＣ３に送信する文字情報の受信処理、入力受付処理等を可能にしている。
【００２８】
次に、ＰＣ３の構成概略を説明する。図３はＰＣ３の構成概略を示すブロック図である。
【００２９】
ＰＣ３は、制御ユニット３００と、ＨＤＤ３０１と、表示部３１５と、通信インターフェイス３１８と、入力部３０４とを備える。これら各部は、互いにバスによりデータ又は信号の送受信が可能とされている。
【００３０】
制御ユニット３００は、ＲＯＭ及びＲＡＭを備えるＣＰＵ等からなり、ＰＣ３の全体的な動作制御を司る。
【００３１】
ＨＤＤ３０１は、各種のアプリケーション等のデータを格納する。例えば、ＨＤＤ３０１は、本発明の一実施形態である文字入力受付プログラムを記憶している。
【００３２】
表示部３１５は、ＬＣＤ（Liquid Crystal Display）等からなり、各種画像を表示する。例えば、ＨＤＤ３０１に記憶されているアプリケーション、例えば、ワードプロセッサーや表計算ソフト等の実行時の画像が制御部３０１による制御の下で表示される。
【００３３】
通信インターフェイス３１８は、携帯端末装置２との間でデータ通信を行うためのインターフェイスとして機能する。通信インターフェイス３１８は、上記ＵＳＢケーブルによる有線通信、又はBluetooth（登録商標）等による無線通信に対応した機能を有する。
【００３４】
入力部３０４は、キーボードやマウスポインター等により構成される。操作者からの操作指示や文字等の入力を受け付ける。
【００３５】
制御ユニット３００は、制御部３０１、文字情報受信部３０２、及び入力文字候補受付部３０３を備える。
【００３６】
制御ユニット３００は、ＨＤＤ３０１に記憶されている上記文字入力受付プログラムに従って動作することで、文字情報受信部３０２、及び入力文字候補受付部３０３として機能する。但し、これら文字情報受信部３０２及び入力文字候補受付部３０３は、文字入力受付プログラムに基づく動作によらず、それぞれハード回路により構成されてもよい。
【００３７】
制御部３０１は、ＰＣ３全体の動作制御を司る。
【００３８】
文字情報受信部３０２は、携帯端末装置２の文字情報送信部２０３から送信されてきた文字情報を受信する。
【００３９】
入力文字候補受付部３０３は、文字情報受信部３０２によって受信された文字情報の示す文字を入力文字候補として受け付ける。
【００４０】
上述したように、ＰＣ３の文字入力受付プログラムは、携帯端末装置２側の文字情報送信プログラムと連携して動作することにより、携帯端末装置２から送信されてくる文字情報の受信処理、入力受付処理等を可能にしている。
【００４１】
次に、文字入力システム１による文字入力処理の第１実施形態を説明する。図４は文字入力システム１による文字入力処理の第１実施形態における処理の流れを示すフローチャートである。
【００４２】
携帯端末装置２において、操作者が操作部２１を操作し、文字情報送信プログラムの起動指示を入力すると、制御ユニット２００が文字情報送信プログラムを起動し（Ｓ１）、制御ユニット２００は、文字入力受付部２０２、文字情報送信部２０３、表示制御部２０４、及び通信制御部２０５として機能する。
【００４３】
この後、通信制御部２０５が、携帯端末装置２が通信インターフェイス２４を介してＰＣ３に接続されたか否かを検出する（Ｓ２）。通信制御部２０５は、携帯端末装置２がＰＣ３に接続されていることを検出した場合（Ｓ２でＹＥＳ）、ＰＣ３に対して、ＰＣ３側の文字入力受付プログラムの起動指示を送信する（Ｓ３）。なお、通信制御部２０５が、携帯端末装置２がＰＣ３に接続されていないと検出した場合は（Ｓ２でＮＯ）、処理は終了する。
【００４４】
なお、Ｓ１においては、操作者からの起動指示に代えて、制御部２０１により携帯端末装置２がＰＣ３に接続されたことを検出されたことをもってこれを起動指示とし、上記文字情報送信プログラムを起動させるものとしてもよい。この場合、文字情報送信プログラムの起動後、通信制御部２０５は、ＰＣ３に対して、上述した文字入力受付プログラムの起動指示を即座に送信する。
【００４５】
ＰＣ３において、その通信インターフェイス３１８が上記起動指示を受信すると（Ｓ２１）、制御部３０１は、上記文字入力受付プログラムを起動する（Ｓ２２）。ここで、文字情報受信部３０２が、携帯端末装置２から送信されてくる文字情報の示す文字を入力文字候補として受け入れるアプリケーションとして予め定められたアプリケーション（例えば、ワードプロセッサー、表計算ソフト等）が起動されているかを検出する（Ｓ２３）。
【００４６】
文字情報受信部３０２が、上記予め定められたアプリケーションが起動されていると検出した場合（Ｓ２３でＹＥＳ）、文字情報受信部３０２は、通信インターフェイス３１８を介して、当該アプリケーションが起動されており、携帯端末装置２から文字情報の受け入れが可能であることを示す「ＯＫ」信号を送信する（Ｓ２４）。
【００４７】
なお、文字情報受信部３０２により上記予め定められたアプリケーションが起動されていないと検出された場合（Ｓ２３でＮＯ）、通信制御部２０５は、通信インターフェイス３１８を介して、当該アプリケーションが起動されておらず、携帯端末装置２から文字情報の受け入れが不可能であることを示す「ＮＧ」信号を送信する（Ｓ２９）。
【００４８】
一方、携帯端末装置２において、通信制御部２０５が通信インターフェイス２４を介して上記「ＯＫ」信号を受信すると（Ｓ４でＹＥＳ）、表示制御部２０４が、テンキーを示す上記文字入力画像を表示部２３に表示させる（Ｓ５）。
【００４９】
図５は、携帯端末装置２の表示部２３にテンキー画像が表示された状態の例を示す図である。表示部２３に表示されているテンキー画像２３１は、数字キー群Ｎ１〜Ｎ１０を有している。これら数字キーＮ１〜Ｎ１０は、それぞれに異なる数字が対応付けられている。なお、他のキーＮ１１〜Ｎ１７にも、それぞれに異なる記号、又は命令等が対応付けられている。これら各キーに対応する文字等の対応付けは、文字入力受付部２０２が保有している（文字情報送信プログラムの一部としてメモリー２２に記憶されている）。
【００５０】
タッチパネル機能により、表示部２３において操作者により接触された座標位置が検出されると、文字入力受付部２０２は、当該検出された座標位置に表示されている数字キーがキーＮ１〜Ｎ１７のいずれであるかを判別し、当該判別されたキーに対応付けられている文字等の入力を受け付ける（Ｓ６でＹＥＳ）。
【００５１】
そして、文字情報送信部２０３は、当該入力が受け付けられた文字を示す文字情報を、通信インターフェイス２４を介してＰＣ３に向けて送信する（Ｓ７）。操作者による操作部２１の操作で文字情報送信プログラムの終了指示が入力されるまで（Ｓ８でＮＯ）、Ｓ５〜Ｓ７の処理が繰り返される。
【００５２】
また、ＰＣ３において、携帯端末装置２から送信されてくる上記文字情報を文字情報受信部３０２が受信すると（Ｓ２５でＹＥＳ）、入力文字候補受付部３０３は、当該受信された文字情報の示す文字を、この時点で立ち上げられている上記予め定められたアプリケーションに対して、入力される文字候補として受け付けさせる（Ｓ２６）。
【００５３】
例えば、入力文字候補受付部３０３は、キーボードドライバーとして機能し、当該予め定められたアプリケーションに対して、上記受信された文字情報の示す文字を入力文字候補として認識させる。当該予め定められたアプリケーションは、認識した文字を、入力文字候補として表示部３１５に表示させる。
【００５４】
なお、携帯端末装置２から送信されてくる上記文字情報を文字情報受信部３０２が受信していない状態では（Ｓ２５でＮＯ）、後述するＳ２７の処理が行われる。
【００５５】
また、携帯端末装置２において、操作者により文字情報送信プログラムの終了指示が入力されると（Ｓ８でＹＥＳ）、通信制御部２０５は、上記文字入力受付プログラムを終了させる終了指示を、通信インターフェイス２４を介してＰＣ３に送信する（Ｓ９）。この後、制御ユニット２００は、文字情報送信プログラムを終了させる（Ｓ１０）。
【００５６】
ＰＣ３では、上記終了指示が通信インターフェイス３１８により受信されるまでは（Ｓ２７でＮＯ）、Ｓ２５及びＳ２６の処理が続けられる。そして、上記終了指示が通信インターフェイス３１８により受信されると（Ｓ２７でＹＥＳ）、制御ユニット３００が文字入力受付プログラムを終了させる（Ｓ２８）。
【００５７】
この第１実施形態によれば、ＰＣ３に接続した携帯端末装置２の表示部２３に表示される各キーＮ１〜Ｎ１７を操作者が操作することで、ＰＣ３に備えられたキーボード等の入力部３０４を操作しなくても、ＰＣ３における予め定められたアプリケーションにおける文字等の入力が可能になる。このため、例えば、ＰＣ３に、テンキーが備えられていない場合に、各キーＮ１〜Ｎ１７のテンキー画像等が表示部２３に表示される携帯端末装置２をＰＣ３に接続することにより、操作性に優れた文字等入力を実現できる。ユーザーがＰＣ３に文字等の情報を入力する操作を行う際、ＰＣ３の構成を増加させることなく、すなわち、別途テンキーのハード機器を用意する必要なく、携帯端末装置２を用いて、文字等の入力操作を容易に行うことが可能になる。
【００５８】
次に、文字入力システム１による文字入力処理の第２実施形態を説明する。図６は、第２実施形態に係る文字入力処理を行う携帯端末装置２の内部構成の概略を示すブロック図である。
【００５９】
第２実施形態に係る文字入力処理を行う携帯端末装置２では、制御ユニット２００は、文字情報送信プログラムに従った動作により、文字入力受付部２０２、文字情報送信部２０３、表示制御部２０４、及び通信制御部２０５に加えて、更に、画像作成部２１０として、画像取得部２０６、キー画像抽出部２０７、対応文字検出部１０８、及び文字割り当て部２０９として機能する。
【００６０】
画像取得部２０６は、撮像部２７により撮像された画像を示す画像データを当該撮像部２７から取得する。当該取得された画像データは、メモリー２２に記憶される。
【００６１】
キー画像抽出部２０７は、画像取得部２０６によって取得された画像データの示す画像から、上述した各キーとして機能し得る画像部分を抽出する。キー画像抽出部２０７は、例えば、パターンマッチングにより、予め定められた画像と同一性を有する画像が上記取得された画像データに含まれるかを判別し、当該同一性を有する画像を、例えば数字キー又は記号キーを示す画像として全て抽出する。
【００６２】
当該キー画像抽出の例を説明する。携帯端末装置２の撮像部２７により撮像された画像が、図７に例を示すように、キーボードのテンキー部分を撮像した画像である場合、キー画像抽出部２０７は、この画像から上記パターンマッチングによりテンキーを構成する各キー画像Ｎ２１〜Ｎ３７を抽出する。このとき、キー画像抽出部２０７は、表示部２３において上記抽出した各キーの画像が表示されることになる座標位置を取得する。
【００６３】
対応文字検出部２０８は、上記キー画像抽出部２０７により抽出されたキー画像に対してＯＣＲ処理を行い、各キー画像に含まれる文字等のキャラクターを検出する。
【００６４】
文字割り当て部２０９は、キー画像に含まれており対応文字検出部１０８により検出された文字等を、当該キー画像に割り当てて、各キー画像と、各キーに割り当てた文字等との関係を記憶する。
【００６５】
表示制御部２０４は、上記画像取得部２０６によって取得された画像データの示す画像を表示部２３に表示させる。すなわち、表示制御部２０４は、画像作成部２１０によって作成された画像を表示部２３に表示させる。
【００６６】
タッチパネル機能により得られる操作者による押下位置を示す座標に基づいて、文字入力受付部２０２は、文字割り当て部２０９の記憶している上記関係から、当該座標の示す位置に表示されているキー画像に割り当てられている文字等を判別し、当該判別した文字等の入力を受け付ける。
【００６７】
図８は文字入力システム１による文字入力処理の第２実施形態における処理の流れを示すフローチャートである。なお、上記の第１実施形態と同様の処理については説明及び図示を省略する。
【００６８】
第２実施形態では、上記Ｓ４の後、テンプレートとして記憶されている画像を上記文字入力受付用画像として用いるか、当該文字受付用画像を操作者が手動で設定した画像を用いるかの指示が操作者から入力されるのを待機する（Ｓ３１）。
【００６９】
ここで、操作者による操作部２１の操作により、テンプレート画像を使用する指示が入力されると（Ｓ３１で「テンプレート」）、処理は、Ｓ５に移り、上記予め定められた画像からなるテンキー画像を表示部２３に表示させる。
【００７０】
一方、操作者による操作部２１の操作により、手動設定で画像を設定する指示が入力されると（Ｓ３１で「手動」）、キー画像抽出部２０７は、画像取得部２０６により取得されてメモリー２２に記憶されている画像データから、上述した数字キー又は記号キーを示す画像を全て抽出する（Ｓ３２）。
【００７１】
続いて、対応文字検出部１０８は、上記キー画像抽出部２０７により抽出されたキー画像に対してＯＣＲ処理を行い、各キー画像に含まれる文字等のキャラクターを検出する（Ｓ３３）。
【００７２】
さらに、文字割り当て部２０９は、対応文字検出部１０８により検出された各文字等を、対応するキー画像に割り当てて、各キー画像と、当該キー画像に割り当てた文字等との関係を記憶する（Ｓ３４）。
【００７３】
表示制御部２０４は、上記画像取得部２０６によって取得されてメモリー２２に記憶されている上記画像データの示す画像を表示部２３に表示させる（Ｓ３５）。この後は、図４に示したＳ６以降の処理と同様の処理が行われるが、Ｓ６では、文字入力受付部２０２が、文字割り当て部２０９の記憶している上記関係から、当該座標の示す位置に表示されているキー画像に割り当てられている文字等を判別し、当該判別した文字等の入力を受け付ける。
【００７４】
この第２実施形態によれば、操作者が撮像部２７により、他機器のテンキー等を撮像することにより、この撮像したテンキー等を示す画像に含まれる各キーを、ＰＣ３に対する文字入力用のテンキーとして使用することが可能になる。このため、自身が使い慣れたテンキー等、所望のテンキーを撮像することにより、実際にはそのテンキーを所有していなくても、ＰＣ３に対する文字入力用のテンキーとして使用することが可能になる。
【００７５】
また、本発明は上記実施の形態の構成に限られず種々の変形が可能である。例えば、上記各実施形態では、表示部２３に表示されたキー画像の表示領域での接触がタッチパネルにより検出されることによって、接触した領域に表示されているキー画像に対応付けられた文字等の入力が文字入力受付部２０２に受け付けられるが、携帯端末装置２がテンキーやＱＷＥＲＴＹキーボードのハード構成として備える場合、当該テンキーやＱＷＥＲＴＹキーボードから入力される文字等を文字入力受付部２０２が受け付けるものとしてもよい。
【００７６】
また、図１乃至図８を用いて上記各実施形態に示した構成及び処理は、本発明の一実施形態に過ぎず、本発明の構成及び処理はこれに限定されるものではない。
【符号の説明】
【００７７】
１      文字入力システム
２      携帯端末装置
２１    操作部
２２    メモリー
２３    表示部
２４    通信インターフェイス
２７    撮像部
２００  制御ユニット
２０１  制御部
２０２  文字入力受付部
２０３  文字情報送信部
２０４  表示制御部
２０５  通信制御部
２３１  テンキー画像
３００  制御ユニット
３０１  制御部
３０２  文字情報受信部
３０３  入力文字候補受付部
３０４  入力部
３１５  表示部
３１８  通信インターフェイス
【図１】
2015103108.tif 000003
【図２】
2015103108.tif 000004
【図３】
2015103108.tif 000005
【図４】
2015103108.tif 000006
【図５】
2015103108.tif 000007
【図６】
2015103108.tif 000008
【図７】
2015103108.tif 000009
【図８】
2015103108.tif 000010